(57)【要約】      （修正有）【課題】急須の中のお湯の温度がお茶の抽出最適温度になったことを急須側面の絵、模様、文字等またはシールの温度による色の変化で分かる様になる示温機能付急須を提供する。【解決手段】急須１の側面に、お茶の抽出最適温度で色の変化を示す可逆性示温塗料によって、絵、模様、文字等２を描く。または、急須の側面に、お茶の抽出最適温度で色の変化を示す可逆性示温塗料により示温機能を有するシール３を張る。もしくは、その両方を行う。【選択図】図１
0003211850.tif 000002
【実用新案登録請求の範囲】
【請求項１】
急須の側面に、お茶の抽出最適温度で色の変化を示す可逆性示温塗料によって、絵、模様、文字等を描き、または、お茶の抽出最適温度で色の変化を示す可逆性示温塗料により示温機能を有するシールを張った、お茶の抽出最適温度を示す示温機能を付けた示温機能付急須。
【請求項２】
急須の側面に、お茶の抽出最適温度で色の変化を示す可逆性示温塗料によって、絵、模様、文字等を描き、かつ、お茶の抽出最適温度で色の変化を示す可逆性示温塗料により示温機能を有するシールを張った、お茶の抽出最適温度を示す示温機能を付けた示温機能付急須。
【請求項３】
お茶の抽出最適温度として、玉露の抽出最適温度を用いた請求項１、請求項２記載の示温機能付急須。
【請求項４】
お茶の抽出最適温度として、煎茶の抽出最適温度を用いた請求項１、請求項２記載の示温機能付急須。
【請求項５】
玉露の抽出最適温度として約６０度を用いた請求項３記載の示温機能付急須。
【請求項６】
煎茶の抽出最適温度として約８０度を用いた請求項４記載の示温機能付急須。
【請求項７】
お茶の抽出最適温度として、玉露の抽出最適温度と煎茶の抽出最適温度の２つの温度を用いた請求項１、請求項２記載の示温機能付急須。
【請求項８】
玉露の抽出最適温度として約６０度を、煎茶の抽出最適温度として約８０度を用いた請求項７記載の示温機能付急須。
【請求項９】
可逆性示温塗料によって、絵、模様、文字等を描いた上に、保護層を設けたことを特徴とする請求項１から請求項８記載の示温機能付急須。
【請求項１０】
お茶の抽出最適温度で色の変化を示す可逆性示温塗料の他に、いくつかの補助的温度で色の変化を示すいくつかの可逆性示温塗料も用いて、お茶の抽出最適温度だけでなく、補助的温度も示すことを特徴とする請求項１から請求項９記載の示温機能付急須。
【考案の詳細な説明】
【技術分野】
【０００１】  本考案は、急須の側面に利用した可逆性示温塗料により急須の中のお湯がお茶の抽出最適温度になっている事を示す示温機能付急須に関するものである。
【背景技術】
【０００２】  急須内のお湯の温度が、お茶の抽出最適温度になっているかを知るため、従来は、人間の経験による感覚、温度計を急須の中のお湯に入れて計る、などによっていた。
【先行技術文献】
【特許文献】
【０００３】
【特許文献１】特開２００５−３４５４５７号公報
【考案の概要】
【考案が解決しようとする課題】
【０００４】（イ）  温度計で急須の中のお湯の温度を計る事なく、急須の中のお湯の温度がお茶の抽出最適温度になったことを知る。
（ロ）  急須の中のお湯の温度がお茶の抽出最適温度になったことを急須側面の絵、模様、文字等またはシールの温度による色の変化で分かる様にする。
（ハ）  お茶を入れた経験があまりない人にも、おいしいお茶が入れられる様にする。
【課題を解決するための手段】
【０００５】  急須（１）の側面に、お茶の抽出最適温度で色の変化を示す可逆性示温塗料によって、絵、模様、文字等（２）を描く。または、急須の側面に、お茶の抽出最適温度で色の変化を示す可逆性示温塗料により示温機能を有するシール（３）を張る。もしくは、その両方を行う。
本考案は以上の構成よりなる示温機能付急須である。
【考案の効果】
【０００６】（イ）  温度計で急須の中のお湯の温度を計る事なく、急須の中のお湯の温度がお茶の抽出最適温度になったことを知ることができる。
（ロ）  急須の中のお湯の温度がお茶の抽出最適温度になったことを急須側面の絵、模様、文字等またはシールの温度による色の変化で分かる様になる。
（ハ）  お茶を入れた経験があまりない人にも、おいしいお茶が入れられる様になる。
【図面の簡単な説明】
【０００７】
【図１】  実施例
【図２】  シールの例
【考案の実施をするための形態】
【０００８】  以下、本考案の実施をするための形態について説明する。
急須（１）の側面に、お茶の抽出最適温度で色の変化を示す可逆性示温塗料によって、絵、模様、文字等（２）を描く。または、急須の側面に、お茶の抽出最適温度で色の変化を示す可逆性示温塗料により示温機能を有するシール（３）を張る。もしくは、その両方を行う。
シール（３）には、補助的温度５０±２度で変色する部分（４）、補助的温度５５±２度で変色する部分（５）、玉露の抽出最適温度６０±２度で変色する部分（６）、補助的温度６５±２度で変色する部分（７）、補助的温度７０±２度で変色する部分（８）、補助的温度７５±２度で変色する部分（９）、煎茶の抽出最適温度８０±２度で変色する部分（１０）、補助的温度８５±２度で変色する部分（１１）、補助的温度９０±２度で変色する部分（１２）が列んでいる。
本考案は、以上のような構造である。
本考案を使用するときは、急須（１）に熱湯を入れ、お湯の温度が自然と下がってくるのを待つ。お茶の抽出最適温度で色の変化を示す可逆性示温塗料によって描いた、絵、模様、文字等（２）が変色したら茶葉を入れる。また、シールの、煎茶の抽出最適温度８０±２度で変色する部分（１０）が変色したら、煎茶を、玉露の抽出最適温度６０±２度で変色する部分（６）が変色したら、玉露を入れる。抽出時間は煎茶は２分、玉露は３分。玉露を入れるときは、熱湯と玉露の抽出最適温度の差が大きく、お湯の温度が自然に下がるのを待つには時間がかかるので、急須（１）のお湯を湯のみに注ぎ、湯のみに注いだお湯を急須（１）に戻して、冷ましても良い。
【符号の説明】
【０００９】    １  急須
２  絵、模様、文字等
３  シール
４  補助的温度５０±２度で変色する部分
５  補助的温度５５±２度で変色する部分
６  玉露の抽出最適温度６０±２度で変色する部分
７  補助的温度６５±２度で変色する部分
８  補助的温度７０±２度で変色する部分
９  補助的温度７５±２度で変色する部分
１０  煎茶の抽出最適温度８０±２度で変色する部分
１１  補助的温度８５±２度で変色する部分
１２  補助的温度９０±２度で変色する部分
【図１】
0003211850.tif 000003
【図２】
0003211850.tif 000004
【手続補正書】
【提出日】平成29年6月8日(2017.6.8)
【手続補正１】
【補正対象書類名】実用新案登録請求の範囲
【補正対象項目名】全文
【補正方法】変更
【補正の内容】
【実用新案登録請求の範囲】
【請求項１】
急須の側面に、お茶の抽出最適温度で色の変化を示す可逆性示温塗料によって、絵、模様、文字を描き、または、お茶の抽出最適温度で色の変化を示す可逆性示温塗料により示温機能を有するシールを貼った、お茶の抽出最適温度を示す示温機能を付けた示温機能付急須。
【請求項２】
急須の側面に、お茶の抽出最適温度で色の変化を示す可逆性示温塗料によって、絵、模様、文字を描き、かつ、お茶の抽出最適温度で色の変化を示す可逆性示温塗料により示温機能を有するシールを貼った、お茶の抽出最適温度を示す示温機能を付けた示温機能付急須。  
【請求項３】
お茶の抽出最適温度として、玉露の抽出最適温度を用いた請求項１または請求項２記載の示温機能付急須。
【請求項４】
お茶の抽出最適温度として、煎茶の抽出最適温度を用いた請求項１または請求項２記載の示温機能付急須。  
【請求項５】
玉露の抽出最適温度として約６０度を用いた請求項３記載の示温機能付急須。
【請求項６】
煎茶の抽出最適温度として約８０度を用いた請求項４記載の示温機能付急須。
【請求項７】
お茶の抽出最適温度として、玉露の抽出最適温度と煎茶の抽出最適温度の２つの温度を用いた請求項１または請求項２記載の示温機能付急須。
【請求項８】
玉露の抽出最適温度として約６０度を、煎茶の抽出最適温度として約８０度を用いた請求項７記載の示温機能付急須。
【請求項９】
可逆性示温塗料によって、絵、模様、文字を描いた上に、保護層を設けたことを特徴とする請求項１から請求項８のいずれか一項に記載の示温機能付急須。
【請求項１０】
お茶の抽出最適温度で色の変化を示す可逆性示温塗料の他に、いくつかの補助的温度で色の変化を示すいくつかの可逆性示温塗料も用いて、お茶の抽出最適温度だけでなく、補助的温度も示すことを特徴とする請求項１から請求項９のいずれか一項に記載の示温機能付急須。
【手続補正２】
【補正対象書類名】明細書
【補正対象項目名】０００５
【補正方法】変更
【補正の内容】
【０００５】
急須（１）の側面に、お茶の抽出最適温度で色の変化を示す可逆性示温塗料によって、絵、模様、文字等（２）を描く。または、急須の側面に、お茶の抽出最適温度で色の変化を示す可逆性示温塗料により示温機能を有するシール（３）を貼る。もしくは、その両方を行う。
本考案は以上の構成よりなる示温機能付急須である。
【手続補正３】
【補正対象書類名】明細書
【補正対象項目名】０００８
【補正方法】変更
【補正の内容】
【０００８】
以下、本考案の実施をするための形態について説明する。
急須（１）の側面に、お茶の抽出最適温度で色の変化を示す可逆性示温塗料によって、絵、模様、文字等（２）を描く。または、急須の側面に、お茶の抽出最適温度で色の変化を示す可逆性示温塗料により示温機能を有するシール（３）を貼る。もしくは、その両方を行う。
シール（３）には補助的温度５０±２度で変色する部分（４）、補助的温度５５±２度で変色する部分（５）、玉露の抽出最適温度６０±２度で変色する部分（６）、補助的温度６５±２度で変色する部分（７）、補助的温度７０±２度で変色する部分（８）、補助的温度７５±２度で変色する部分（９）、
煎茶の抽出最適温度８０±２度で変色する部分（１０）、補助的温度８５±２度で変色する部分（１１）、補助的温度９０±２度で変色する部分（１２）が並んでいる。
本考案は、以上のような構造である。
本考案を使用するときは、急須（１）に熱湯を入れ、お湯の温度が自然と下がってくるのを待つ。お茶の抽出最適温度で色の変化を示す可逆性示温塗料によって描いた、絵、模様、文字等（２）が変色したら茶葉を入れる。また、シールの、煎茶の抽出最適温度８０±２度で変色する部分（１０）が変色したら、煎茶を、玉露の抽出最適温度６０±２度で変色する部分（６） が変色したら、玉露を入れる。抽出時間は煎茶は２分、玉露は３分。玉露を入れるときは、熱湯と玉露の抽出最適温度の差が大きく、お湯の温度が自然に下がるのを待つには時間がかかるので、急須（１）のお湯を湯のみに注ぎ、湯のみに注いだお湯を急須（１）に戻して、冷ましても良い。